(57)【要約】【課題】傘の上ろくろを、中軸に対する取付け、取り外しが容易であるのみでなく、長期間使用しても上述したガタツキを生じることなく、中軸に強固に固定することができるようにする。【解決手段】外周面に雄ねじ１８ａを形成しかつ割溝２１を形成した円筒部１８を主部２０の上端に一体に連接した上ろくろ本体１０と、上ろくろ本体１０の中軸２に対する固定位置において円筒部１８の割溝２１内に係入し得るように中軸２に係止される駒部材３０と、上ろくろ本体１０の円筒部１８の雄ねじ１８ａに螺合し得る雌ねじを内周面に備えて円筒部１８に螺着される固定部材１１，５とを備える。【選択図】図２
2010213897.tif 000002
【特許請求の範囲】
【請求項１】
中軸が挿入される中軸挿入孔を備えて前記中軸に取り外し可能に固定される傘の構成部品の取付け構造であって、
外周面に雄ねじを備えかつ開口部を前記外周面に開口させた円筒部を主部の上端に連接形成した、前記中軸挿入孔を有する本体と、
前記中軸挿入孔に挿入された前記中軸に対する前記本体の固定位置において前記円筒部の開口部内に係入して前記中軸と前記本体との間の相対回転を阻止すべく前記中軸に係止される駒部材と、
前記本体の円筒部の雄ねじに螺合し得る雌ねじを内周面に備え、前記中軸に対する前記本体の固定位置において前記本体と前記駒部材との間の上下方向の相対移動を阻止する態様で前記駒部材を覆って前記本体の円筒部に螺着される固定部材とを有することを特徴とする、傘の構成部品の取付け構造。
【請求項２】
前記本体の円筒部に開口する前記開口部が、前記円筒部の上端から下方に延びる割溝からなることを特徴とする請求項１記載の傘の構成部品の取付け構造。
【請求項３】
前記割溝が前記本体の主部内に延長された延長部分を有し、前記主部の上端面に開口する切欠きが、前記割溝の延長部分から前記円筒部の外周面よりも半径方向外方に延びる態様で形成されてなるとともに、前記駒部材に、前記割溝内に装着された状態で前記切欠きに係入し得る突起部が形成されてなることを特徴とする請求項２記載の傘の構成部品の取付け構造。
【請求項４】
前記駒部材の背面に、前記割溝内に装着された状態で前記本体の円筒部の外周面に形成された雄ねじの一部を形成する複数の溝が形成されてなることを特徴とする請求項１から３のいずれか１項記載の傘の構成部品の取付け構造。
【請求項５】
中軸が挿入される中軸挿入孔を備えて前記中軸に取り外し可能に固定される傘の構成部品の取付け構造であって、
外周面に雄ねじを備えた円筒部を主部の上端に連接形成し、かつ前記円筒部の上端から下方に延びる割溝を前記主部内まで延長して外周面に開口させた、前記中軸挿入孔を有する本体と、
前記中軸挿入孔に挿入された前記中軸に対する前記本体の固定位置において前記割溝の前記主部内の部分に係入して前記中軸と前記本体との間の相対回転を阻止すべく前記中軸に突設されたピン部材と、
前記本体の円筒部の雄ねじに螺合し得る雌ねじを内周面に備え、前記中軸に対する前記本体の固定位置において前記本体と前記ピン部材との間の上下方向の相対移動を阻止する態様で前記本体の円筒部に螺着される固定部材とを有することを特徴とする、傘の構成部品の取付け構造。
【請求項６】
前記構成部品が、親骨の根元部を収容するための複数の親骨収容溝を前記本体の主部の周縁に放射状に備えて前記中軸の上端部に固定される上ろくろであることを特徴とする請求項１から５のいずれか１項記載の傘の構成部品の取付け構造。
【請求項７】
前記構成部品が、前記中軸の下端部に固定される手元であることを特徴とする請求項１から５のいずれか１項記載の傘の構成部品の取付け構造。
【発明の詳細な説明】
【技術分野】
【０００１】
本発明は、製作時における組立てが容易であるのみでなく、修理および分解も容易で、材質別に分別することができ、さらに再利用を可能にすることを目的とした傘の構成部品の取付け構造に関し、特に、中軸(支柱)に取り外し可能に固定される構成部品、例えば上ろくろまたは手元の取付け構造に関するものである
なお、以下の説明において、上下方向は中軸の軸線方向を意味し、上方または上端部は傘の石突き側の方向または端部を意味し、下方たは下端部は傘の手元側の方向または端部を意味するものとする。
【背景技術】
【０００２】
通常の傘は、金属製部材（中軸、親骨，支え骨等）と、一般に合成樹脂（以下単に「樹脂」と呼ぶ）からなる非金属製部材（手元、上ろくろ、下ろくろ、シート等）から構成されているが、各部材は恒久的にあるいは分解が極めて困難な状態で連結されている。すなわち、樹脂製の上ろくろは留め釘によって金属製の中軸に固定され、また樹脂製の上ろくろと金属製親骨との連結は、根元部に形成した孔に順次針金（抱き針）を挿通した親骨の根元部を上ろくろの親骨収容溝に収容した後、上記針金を上ろくろの外周の溝に巻き付け、かつこの針金の両端を捩り合わせることにより行なっていた。
【０００３】
したがって、従来の傘は、製作時における組立てに手間がかかるのみでなく、壊れた傘を廃棄する場合に、金属製部材と非金属製部材とを分離して分別廃棄することが困難なため、貴重な資源のリサイクルを困難にしていた。
【０００４】
近時、特に環境汚染問題がクローズアップされている中、傘の分別廃棄を義務付ける地方自治体も多くなってきたために、傘の金属製部材と非金属製部材との分別廃棄を容易にすることが要望され、特に傘の中軸の上端部に固定される上ろくろおよび中軸の下端部に固定される手元のようなに固定される構成部品に関し、容易に中軸から取り外すことができる取付け構造が要望されている。
【０００５】
そこで、本発明者は、先に特許文献１に開示されているような構造を有する上ろくろを提案した。この上ろくろは、中軸の上ろくろ位置決め孔に係入される係合突起を内周面に備えた中軸挿通孔と、親骨の根元部を収容する複数の親骨収容溝を周縁にほぼ等間隔に放射状に形成した円板状のフランジを同軸的に備えた円筒体からなる上ろくろ本体を備え、この上ろくろ本体の上記フランジの上方には、環状の親骨枢支ディスクが嵌着される小径の円筒部が連接され、この円筒部には、その上端から雄ねじが形成されている。そして、上記係合突起を中軸の上ろくろ位置決め穴に係入させた上ろくろ本体の上記円筒部の外周面に上記親骨枢支ディスクを嵌着し、かつこの親骨枢支ディスクにすべての親骨の根元部を枢支させた状態で、上記雄ねじに対し上方から固定部材を螺着することにより、上記上ろくろ本体と上記親骨枢支ディスクとが一体化されて上記中軸に固定されるように構成されている。
【０００６】
さらに上記円筒部に、その上端から軸線を含む面に沿って少なくとも上記円筒部まで延びる一対の割り溝を設けて、円筒部が割り溝の上端から左右に撓み得るように円筒部に弾性を付与したり、あるいは、円筒部をその軸線を含む平面に沿って２分割したりすることにより、上記上ろくろ本体を中軸に取付けおよび取外す際の中軸の上ろくろ位置決め穴に対する上記係合突起の係入および脱出を容易にしている。
【先行技術文献】
【特許文献】
【０００７】
【特許文献１】特開２００８−１２５９５３号公報
【発明の開示】
【発明が解決しようとする課題】
【０００８】
しかしながら、上述の上ろくろは、中軸に対する取付けおよび取外しは容易であるものの、中軸の上ろくろ位置決め孔に係入される係合突起を樹脂製の上ろくろ本体の内周面に形成しているため、石突きの先端で地面を叩く動作が行なわれると、その衝撃が中軸を介して上記係合突起に伝達され、あるいは釦を押すとスプリングの付勢力で開傘する所謂ジャンプ傘においては、開傘時に衝撃が中軸を介して上記係合突起に伝達されるので、長い間には樹脂製の係合突起が中軸によって変形せしめられて、上ろくろと中軸との間にガタツキを生じるという問題があった。
【０００９】
また、上述のような問題は、中軸の上端部に取り外し可能に固定される上ろくろのみでなく、上ろくろと同様の取付け構造を備えて中軸の下端部に取り外し可能に固定される手元にも生じている。
【００１０】
上述の事情に鑑み、本発明の第１の目的は、中軸に対する取付け、取り外しが容易であるのみでなく、長期間使用しても上述したガタツキを生じることなく、中軸に強固に固定することができる上ろくろの取付け構造を提供することにある。
【００１１】
また本発明の第２の目的は、中軸に対する取付け、取り外しが容易であるのみでなく、長期間使用しても上述したガタツキを生じることなく、中軸に強固に固定することができる手元の取付け構造を提供することにある。
【課題を解決するための手段】
【００１２】
本発明は、中軸が挿入される中軸挿入孔を備えて中軸に取外し可能に固定される傘の構成部品の取付け構造であって、(1) 外周面に雄ねじを備えかつ開口部を外周面に開口させた円筒部を主部の上端に連接形成した、上記中軸挿入孔を有する本体と、(2) 上記中軸挿入孔に挿入された中軸に対する上記本体の固定位置において上記円筒部の開口部内に係入して上記中軸と上記本体との間の相対回転を阻止すべく上記中軸に係止される駒部材と、(3) 上記本体の円筒部の雄ねじに螺合し得る雌ねじを内周面に備え、上記中軸に対する上記本体の固定位置において上記本体と上記駒部材との間の上下方向の相対移動を阻止する態様で上記駒部材を覆って上記本体に螺着される固定部材とを有することを特徴とする。
【００１３】
上記円筒部の外周面に開口する開口部は、孔でもよいが、この円筒部の上端から下方に延びる割溝とすることが好ましい。その場合に、上記割溝が上記本体の主部内に延長された延長部分を有し、上記主部の上端面に開口する切欠きが、上記割溝の延長部分から上記円筒部の外周面よりも半径方向外方に延びる態様で形成されてなるとともに、上記駒部材に、上記割溝内に装着された状態で上記切欠きに係入し得る突起部が形成されてなることが好ましい。
【００１４】
また、上記駒部材の背面に、上記割溝内に装着された状態で、上記本体の円筒部の外周面に形成された雄ねじの一部を形成する複数の溝が形成されてなることが好ましい。
【００１５】
さらに本発明は、中軸が挿入される中軸挿入孔を備えて中軸に取外し可能に固定される傘の構成部品の取付け構造であって、(1) 外周面に雄ねじを備えた円筒部を主部の上端に連接形成し、かつ円筒部の上端から下方に延びる割溝を上記主部内まで延長して外周面に開口させた、上記中軸挿入孔を有する本体と、(2) 上記中軸挿入孔に挿入された中軸に対する上記本体の固定位置において上記割溝の上記主部内の部分に係入して上記中軸と上記本体との間の相対回転を阻止すべく上記中軸に突設されたピン部材と、(3) 上記本体の円筒部の雄ねじに螺合し得る雌ねじを内周面に備え、上記中軸に対する上記本体の固定位置において上記本体と上記駒部材との間の上下方向の相対移動を阻止する態様で上記本体に螺着される固定部材とを有することを特徴とする。
【００１６】
上記傘の構成部品は、例えば、親骨の根元部を収容するための複数の親骨収容溝を上記本体の主部の周縁に放射状に備えて中軸の上端部に固定される上ろくろであり、あるいは中軸の下端部に固定される手元である。
【発明の効果】
【００１７】
本発明によれば、本体の中軸に対する固定位置において上記円筒部の開口部内に係入し得るように中軸に係止される駒部材によって、または中軸に突設されて本体の主部内に延長された割溝部分内に係入し得るように中軸に突設されたピン部材によって、本体と中軸との間の相対回転を阻止することできるとともに、上記本体の円筒部に螺着される固定部材によって本体と中軸との間の上下方向の相対移動を阻止することできるので、中軸に対して上記本体を強固に固定することができる。そして、傘の分解時には、上記固定部材を螺合時とは反対方向に回動することにより、上記本体を容易に中軸から取り外すことができる。
【００１８】
特に、上記割溝が本体の主部内に延長された延長部分を有し、上記主部の上端面に開口する切欠きが、上記割溝の延長部分から上記円筒部の外周面よりも半径方向外方に延びる態様で形成されてなるとともに、上記駒部材に、上記割溝内に装着された状態で上記切欠きに係入し得る突起部が形成されてなる場合には、この突起部を固定部材の底面と上記切欠きの底との間に挟む態様で駒部材を本体に固定することができるから、中軸に対して本体をより強固に固定することができる効果がある。
【００１９】
また、上記駒部材に代えて、中軸に突設したピン部材を割溝の上記本体主部内の部分に係入させた場合においても、固定部材の底面と割溝の上記本体主部内の部分の底との間にピン部材を挟む態様でピン部材を本体に固定することができるから、中軸に対して本体をより強固に固定することができる効果がある。
【００２０】
また、駒部材またはピン部材を金属で形成することが可能であるため、前述のような樹脂部材の変形による中軸と本体との間のガタツキを防止することができる。
【００２１】
さらに、上記駒部材の背面に、上記割溝内に装着された状態で上記本体の円筒部の外周面に形成された雄ねじの一部を形成する複数の溝が形成されている場合には、駒部材を介した本体と固定部材との結合をより強固なものとすることができる。
【図面の簡単な説明】
【００２２】
【図１】本発明による構成部品の取付け構造を備えた傘を、一部を省略して示す概略図である。
【図２】図１の傘の上ろくろの取付け構造を示す分解正面図である。
【図３Ａ】図２に正面図で示す上ろくろ本体の平面図である。
【図３Ｂ】図３Ａの３Ｂ−３Ｂ線に沿った断面図である。
【図３Ｃ】図３Ａの上ろくろ本体の底面図である。
【図４Ａ】図２に正面図で示す親骨枢支ディスクの平面図である。
【図４Ｂ】図４Ａの４Ｂ−４Ｂ線に沿った断面図である。
【図４Ｃ】図４Ａの親骨枢支ディスクの底面図である。
【図５Ａ】図３Ａの上ろくろ本体上に図４Ａの親骨枢支ディスクを取り付けた状態を示す平面図である。
【図５Ｂ】図３Ａの上ろくろ本体上に図４Ａの親骨枢支ディスクを取り付けた状態を示す正面図である。
【図６Ａ】親骨の根元部の底面図である。
【図６Ｂ】親骨の根元部が親骨枢支ディスクに枢支された状態を示す平面図である。
【図７】上ろくろを中軸に固定した状態を示す拡大断面図である。
【図８Ａ】図２に正面図で示す蓋ナットの底面図である。
【図８Ｂ】図８Ａの蓋ナットの断面図である。
【図９】駒部材の別の構成を中軸とともに示す分解正面図である。
【図１０】図１の傘の手元の取付け構造を示す分解正面図である。
【図１１】図１０に正面図で示す手元本体の平面図である。
【図１２】図１０に正面図で示すキャップ部材の断面図である。
【図１３】手元を中軸に固定した状態を示す拡大断面図である。
【図１４Ａ】図１の傘の手元の別の取付け構造を示す分解正面図である。
【図１４Ｂ】図１４Ａの手元本体に中軸が挿入された状態を示す正面図である。
【発明を実施するための形態】
【００２３】
以下、図面を参照して本発明による傘の実施の形態について詳細に説明する。図１は、本発明を実施した傘の全体構成を、一部を省略して示す概略図である。
【００２４】
図１において、この傘１は、一般に金属で形成される中軸（支柱）２と、この中軸２の上端部に嵌装固定された樹脂製の上ろくろ３と、この上ろくろ３に根元部を枢着された複数本の金属製親骨４と、シートＳを介して上ろくろ３を中軸２に固定する石突き５と、中軸２の下端部に固定された樹脂製の手元６とを備えている。
【００２５】
図２は、本発明による上ろくろの取付け構造を示す分解正面図である。上ろくろ３は、上ろくろ本体１０と、親骨枢支ディスク１１と、蓋ナット１２とによって構成されている。なお、図２の下部に示されている中軸２の上端部の右方には、駒部材３０が側面図（ａ）および背面図（ｂ）で示されてされている。
【００２６】
上ろくろ本体１０は、図２の正面図に加えて図３Ａ（平面図）、図３Ｂ（図３Ａの３Ｂ−３Ｂ線に沿った断面図）および図３Ｃ（底面図）に示されており、中軸挿通孔１３を同軸的に備えたこの上ろくろ本体１０は、８本の親骨４の根元部を収容するための８個の親骨収容溝１５を周縁にほぼ等間隔に放射状に形成した円板状のディスク状部１６と、このディスク状部１６の上面に同軸的に連接された、ディスク状部１６よりも小径でかつディスク状部１６とほぼ等しい厚さを有する平たい円筒部１７と、この円筒部１７の上面に同軸的に連接された、外周面に雄ねじ１８ａを備えたさらに小径のやや細長い円筒部１８とによって一体に構成され、ディスク状部１６および円筒部１７が上ろくろ本体１０の主部２０を形成している。上記雄ねじ１８ａを備えた円筒部１８は僅かに先細になっていることが好ましい。
【００２７】
外周面に雄ねじ１８ａを備えた円筒部１８は、その上端から軸線を含む面に沿って下方へ一対の割溝２１，２１を備えている。割溝２１，２１は下方の円筒部１７内に延長された部分を有し、この延長部分は、雄ねじ１８ａを備えた円筒部１８の外周面よりも外側に拡がる態様で円筒部１７の上端面１７ａに開口する一対の切欠き２２，２２を形成している。また、主部２０のディスク状部１６の上面には、親骨枢支ディスク１１に対する一対の位置決め穴２３，２３が、隣接する親骨収容溝１５，１５の間の部位に形成されている。
【００２８】
上ろくろ本体１０のディスク状部１６上に添接可能に構成された親骨枢支ディスク１１は、図２の正面図に加えて、図４Ａ（平面図）、図４Ｂ（図４Ａの４Ｂ−４Ｂ線に沿った断面図）および図４Ｃ（底面図）に示されているように、上記ディスク状部１６とほぼ同径の外径と、上ろくろ本体１０の円筒部１７に嵌着可能な内径を有する軸孔２５とを備えて環状に構成され、ディスク状部１６の親骨収容溝１５に対応する８個の親骨収容溝２６を放射状に備えている。またその底面には、ディスク状部１６の一対の位置決め穴２３，２３に嵌合する一対の位置決め突起２７，２７を備え、この親骨枢支ディスク１１が、図５Ａ（平面図）および図５Ｂ（正面図)に示すようにディスク状部１６上に取り付けられると、双方の親骨収容溝１５，２６が一致するように構成されている。
【００２９】
親骨枢支ディスク１１の上面には、親骨４の根元部に形成された突軸２９（図６Ａ）を枢支するための突軸枢支溝２８が、各親骨収容溝２６の両側にこの親骨収容溝２６と直交するように形成されている。なお、本実施の形態においては、親骨枢支ディスク１１が上ろくろ本体１０に対して別部材として形成されているが、図５Ａおよび図５Ｂに示す構成を有する部材を一体に形成して、これを上ろくろ本体とすることも可能である。
【００３０】
図６Ａは、親骨４の根元部を示す底面図、図６Ｂは８本の親骨４の根元部が親骨枢支ディスク１１に枢支された状態を示す平面図である。親骨４の根元部４ａは、上記親骨収容溝１５，２６内に挿入可能なように平に潰されるとともに、親骨４の根元部４ａの両側に突出する枢軸となる突軸２９が根元部４ａに一体に形成されている。そして、突軸２９を備えた全ての親骨４の根元部４ａを、親骨枢支ディスク２０の上面に開口する親骨収容溝１５，２６および突軸枢支溝２８に取り付けると、図６Ｂに示す状態となる。
【００３１】
再び図２に戻ると、中軸２の上端部の傍らに、上ろくろ３を中軸２の上端部に固定するために用いられる、金属製であることが好ましい駒部材３０が側面図（ａ）および背面図（ｂ）で示されており、この駒部材３０は、上ろくろ本体１０のねじ溝１８ａを備えた円筒部１８に形成された割溝２１内に遊びなしに係入可能な幅と、円筒部１８の上端から、円筒部１７に形成されている切欠き２２の底までの距離にほぼ等しい長さとを有する。そして、この駒部材３０の前面(図２における（ａ）の左側面)の上下端には、中軸２の所定位置に所定の間隔をおいて形成された２個の孔３１，３２にそれぞれ係入し得る係合突起３３，３４が形成され、駒部材３０の背面には、円筒部１８に形成された割溝２１内に係入された場合に、円筒部１８の割溝２１によって中断されたねじ溝１８ａの部分を補完するようにねじ溝１８ａの一部を形成する複数の溝３０ａと、これらの溝３０ａと駒部材３０の下端との間に突設された、平坦な上面３５ａを備えた突起部３５とが形成されている。この突起部３５は、上述のように駒部材３０が割溝２１内に装着された状態で、上ろくろ本体１０の円筒部１７の切欠き２２に遊びなしに係入し得る形状および寸法を有する。
【００３２】
中軸２に形成されている２個の孔３１，３２は、上ろくろ本体１０の中軸２に対する固定位置において円筒部１８の割溝２１内に開口するような位置に形成されており、本実施の形態の場合、２個の孔３１，３２は、上方の孔３１が割溝２１の上端部に開口して、この孔３１に駒部材３０の上側係合突起３３が係入し、下方の孔３２が割溝２１の円筒部１７内の延長部分に開口して、この孔３２に駒部材３０の下側の係合突起３４が係入するような位置に形成されている。
【００３３】
図７は上ろくろ３が中軸２の上端部に固定された状態を示す拡大断面図である。なお、図７においては親骨４が省略されている。上ろくろ３の中軸２への取付けに際しては、親骨枢支ディスク１１を取り付けた上ろくろ本体１０を中軸２の上端から下側の孔３２よりもの下方まで挿入した状態で、駒部材３０の係合突起３３，３４を中軸２の孔３１，３２に係入させて駒部材３０を中軸２に固定し、次いで上ろくろ本体１０を、駒部材３０の突起部３５の下端が切欠き２２の底端に当接するまで上方へ移動させ、駒部材３０を割溝１内に係入させる。これによって、上ろくろ本体１０と中軸２との間の中軸２の軸線周りの相対回転が阻止された状態になる。また、この状態においては、図７に示すように、駒部材３０の突起部３５の下端が切欠き２２の底に当接しているので、中軸２に対する上ろくろ本体１０の上方への移動が阻止されている。さらにこの状態において、駒部材３０の下端の突起部３５の上端面３５ａが、上ろくろ本体１０の円筒部１７の上面１７ａと面一（つらいち）になるか、あるいは円筒部１７の上面１７ａよりも僅かに突出していることが好ましい。
【００３４】
次に、８本の親骨４の根元部を図６Ｂに示すように親骨枢支ディスク１１に取り付けた後、蓋ナット１２を上ろくろ本体１０の円筒部１８に螺着して、親骨４の根元部が親骨枢支ディスク１１から外れないように親骨枢支ディスク１１の上面に蓋を施すことにより、親骨４の根元部が上ろくろ３に対して枢動可能に取り付けられるとともに、上ろくろ本体１０と親骨枢支ディスク１１とが一体化される。
【００３５】
上記蓋ナット１２は、図２ならびに図８Ａ（底面図）および図８Ｂ（断面図）に示すように、上ろくろ本体１０の円筒部１８のねじ溝１８ａに螺合し得る雌ねじ１２ａを軸孔３６の内周面に備えているとともに、親骨枢支ディスク１１の上面から突出する円筒部１７の上端部を収容する環状凹部３７を備えている。そして、蓋ナット１２は、その環状凹部３７の内頂面３７ａを駒部材３０の突起部３５の上端面３５ａに当接させて、上ろくろ本体１０切り欠き２２の底と上記蓋ナット１２の内頂面３７ａとの間に駒部材３０の突起部３５が挟まれる態様で駒部材３０を上ろくろ本体１０に固定することにより、上ろくろ本体１０と駒部材３０との間の上下方向の相対移動が阻止された態様で上ろくろ３が中軸２の所定位置に固定される。
【００３６】
上記のように上ろくろ３を中軸２に固定した後は、蓋ナット１２の上面から上方に突出する上ろくろ本体１０の円筒体１８をシートＳの中心孔に挿入してシートＳを蓋ナット１２に被せ、次いで弾性を有する比較的柔軟な環状のクッション材７を中軸２の上端部に装着し、袋ナット形状の石突き５を円筒体１８に螺着することにより、上ろくろ３は蓋ナット１２および石突き５の双方からなる固定部材によって中軸２に強固に固定される。一方、この固定状態から、石突き５および蓋ナット１２を上ろくろ本体１０から取り外すことにより、上ろくろ３を中軸２から容易に取り外すことができること明らかである。
【００３７】
なお、本実施の形態においては、１個の駒部材３０を使用しているが、中軸２の孔３１，３２を軸線に関して対称位置にも形成して、同様の構成を有する駒部材を図７の右方から装着してもよい。また、図９に示すように、孔３１，３２の代わりに中軸２の軸線方向に延びる切溝８１を中軸２に形成し、側面図（ａ）および背面図（ｂ）で示されているような、板状の駒部材８０をこの切溝８１に装着してもよい。この駒部材８０は、中軸２の左右両面から突出して雄ねじ１８ａの一部を形成する溝８０ａと突起部８５とを両側に備えている。さらに、これらの実施の形態においては、雄ねじ１８ａ，４８ａの一部をそれぞれ形成する溝３０ａ，８０ａが駒部材３０，８０に設けられているが、この溝３０ａ，８０ａは省略してもよい。また、図９に示す駒部材８０については、左右いずれか一方の溝８０ａのみを省略したものでもよい。
【００３８】
ところで、上述のような本発明による上ろくろの取付け構造は、手元の取付け構造にも適用可能である。図１０は、このような手元の取付け構造を示す分解正面図である。手元６は、手元本体４０とキャップ部材(固定部材)４１とによって構成され、中軸挿入孔４３を中心部に備えた手元本体４０は、円筒状の握り部４６と、この握り部４６の上面に同軸的に連接された、握り部４６よりも小径で高さの低い円筒部４７と、この円筒部４７の上面に同軸的に連接された、外周面に雄ねじ４８ａを備えたさらに小径の円筒部４８とによって一体に構成され、握り部４６および円筒部４７が手元本体４０の主部５０を形成している。
【００３９】
外周面に雄ねじ４８ａを備えた円筒部４８は、その上端から軸線を含む面に沿って下方へ一対の割溝５１，５１を備えている。そして割溝５１，５１は円筒部４７内に延長された部分を有し、この延長部分は、手元本体４０の拡大平面図である図１１に示すように、雄ねじ４８ａを備えた円筒部４８の外周面よりも外側に拡がる態様で円筒部４７の上端面４７ａに開口する一対の切欠き５２，５２を形成している。
【００４０】
図１０において、中軸２の下端部の傍らに示されている、手元本体４０を中軸２の下端部に固定するために用いられる、金属製であることが好ましい駒部材６０は、上述した上ろくろ３のための駒部材３０と同様の構成を有し、手元本体４０のねじ溝４８ａを備えた円筒部４８に形成された割溝５１内に係入可能な幅と、円筒部４８の上端から、円筒部４７に形成されている切欠き５２の底までの距離にほぼ等しい長さとを有する。そして、この駒部材６０の前面(図１０における右側面)の上下端には、中軸２の所定位置に所定の間隔をおいて形成された２個の孔６１，６２にそれぞれ係入し得る係合突起６３，６４が形成され、駒部材６０の背面には、円筒部４８に形成された割溝５１内に係入された場合に、円筒部４８の割溝５１によって中断されたねじ溝４８ａの部分を補完するようにねじ溝４８ａの一部を形成する複数の溝６０ａ（省略してもよい）と、これらの溝６０ａと駒部材６０の下端との間に突設された、平坦な上面６５ａを備えた突起部６５とが形成されている。この突起部６５は、上述のように駒部材６０が割溝５１内に装着された状態で、手元本体４０の円筒部４７の切欠き５２に係入し得る形状および寸法を有する。
【００４１】
中軸２に形成されている２個の孔６１，６２は、手元本体４０の中軸２に対する固定位置において円筒部４８の割溝５１内に開口するような位置に形成されており、本実施の形態の場合、２個の孔６１，６２は、上側の孔６１が割溝５１の上部に開口して、この孔６１に駒部材６０に設けられた係合突起６３が係入し、下側の孔６２が割溝５１の円筒部４７内の延長部分に開口して、この孔６２に駒部材６０の下端に設けられた係合突起６４が係入するような位置に形成されている。
【００４２】
図１２は、手元本体４０を中軸２に固定するための円筒状のキャップ部材７０の拡大断面図を示す。手元本体４０と同一外径を有するキャップ部材７０は、上面に開口する軸孔７１を備え、かつ手元本体４０の円筒部４８の雄ねじ４８ａに螺合し得る雌ねじ７０ａを軸孔７１の内周面に備えている。キャップ部材７０の下面には、手元本体４０の円筒部４７を収容する環状凹部７２が開口している。雌ねじ７０ａの上端には、クッション部材７３を収容するための拡径部７４が接している。
【００４３】
図１３は手元６が中軸２の下端部に固定された状態を示す拡大断面図である。手元６の中軸２への取付けに際しては、先ず中軸２の下端からキャップ部材７０およびクッション部材７３を中軸２に孔６１の上方まで挿通しておく。次いで、駒部材６０の係合突起６３，６４を中軸２の孔６１，６２に係入させて駒部材６０を中軸２に取り付けてから、中軸２の下端部を手元本体４０の中軸挿入孔４３に挿入し、駒部材６０の突起部６５の下端を切欠き５２の底端に当接させる。この状態においては、図１３に示すように、駒部材６０の下端の突起部６５の上端面６５ａが、手元本体４０の円筒部４７の上面４７ａとほぼ面一（つらいち）となるか、突起部６５の上端面６５ａが手元本体４０の円筒部４７の上面４７ａから僅かに突出することが好ましい。そして、キャップ部材７０を手元本体４０の雄ねじ４８ａを備えた円筒部４８に螺着することにより、手元本体４０が中軸２の下端部に強固に固定される。
【００４４】
一方、この固定状態から、キャップ部材７０を手元本体４０から取り外すことにより、手元６を中軸２から容易に取り外すことができること明らかである。
【００４５】
なお、上述した手元６の取付け構造においても、図９に示された中軸２の切溝８１と駒部材８０との組合せと同様の組合せを用いることができる。
【００４６】
次の図１４Ａは、図１０とは別の手元の取付け構造を示す分解正面図である。本実施の形態においては、駒部材６０に代えて中軸２に突設したピン部材９０を用いているとともに、外周面に雄ねじ４８ａを備えた円筒部４８の上端から下方に延びる割溝５１を手元本体４０の主部５０の円筒部４７内まで延長して円筒部４７の外周面に開口させている。そして、中軸挿入孔４３に挿入された中軸２に対する手元本体４０の固定位置においては、図１４Ｂに示すように、ピン部材９０が、このピン部材９０と手元本体４０との間の相対回転を阻止された態様で円筒部４７の開口部８６内に係入し、かつピン部材９０が開口部８６の底に当接した状態において、ピン部材９０の上面が、手元本体４０の円筒部４７の上面と面一（つらいち）になるか、あるいは円筒部４７の上面よりも僅かに突出していることが好ましい。
【００４７】
したがって、図１４Ａおよび図１４Ｂには省略されているキャップ部材７０を円筒部４８に螺着することにより、円筒部４７の上面とキャップ部材７０の内底面７２ａ(図１２参照)との間にピン部材９０が挟まれて、手元本体４０とピン部材９０との間の上下方向の相対移動が阻止された態様で手元本体４０が中軸２の下端部に強固に固定される。
【００４８】
なお、ピン部材９０は、中軸２の所定位置に形成した孔に遊びなく挿入されるものであれば、必ずしも中軸２に固定される必要はない。
【００４９】
また、この図１４Ａおよび図１４Ｂに示す手元の取付け構造は、上ろくろの取付け構造にも適用可能なことは言うまでもない。
【符号の説明】
【００５０】
１    傘
２    中軸
３    上ろくろ
４    親骨
５    石突き
６    手元
７，７３    クッション部材
１０    上ろくろ本体
１１    親骨枢支ディスク
１２    蓋ナット
１３，４３    中軸挿入孔
１５，２６    親骨収容溝
１６    上ろくろ本体のディスク状部
１７，１８    上ろくろ本体の円筒部
２０    上ろくろ本体の主部
２１，５１    割溝
２２，５２    切欠き
２８    親骨枢支溝
３０，６０，８０    駒部材
３１，３２，６１，６２    中軸の孔
３３，３４，６３，６４    駒部材の係合突起
４０    手元本体
５０    手元の主部
７０    キャップ部材
８１    中軸の切溝
９０    ピン部材
【図１】
2010213897.tif 000003
【図２】
2010213897.tif 000004
【図３Ａ】
2010213897.tif 000005
【図３Ｂ】
2010213897.tif 000006
【図３Ｃ】
2010213897.tif 000007
【図４Ａ】
2010213897.tif 000008
【図４Ｂ】
2010213897.tif 000009
【図４Ｃ】
2010213897.tif 000010
【図５Ａ】
2010213897.tif 000011
【図５Ｂ】
2010213897.tif 000012
【図６Ａ】
2010213897.tif 000013
【図６Ｂ】
2010213897.tif 000014
【図７】
2010213897.tif 000015
【図８Ａ】
2010213897.tif 000016
【図８Ｂ】
2010213897.tif 000017
【図９】
2010213897.tif 000018
【図１０】
2010213897.tif 000019
【図１１】
2010213897.tif 000020
【図１２】
2010213897.tif 000021
【図１３】
2010213897.tif 000022
【図１４Ａ】
2010213897.tif 000023
【図１４Ｂ】
2010213897.tif 000024